(57)【特許請求の範囲】
【請求項１】
圧電基板の表面に形成されたＳＡＷフィルタにおいて、
互いに隣り合って配置され電気的に互いに接続された２つの音響トラックが設けられており、
該２つの音響トラックには、入力変換器および出力変換器として用いられる電気音響変換器（Ｗ１，Ｗ２）がそれぞれ配置されており、
前記２つのトラックの間に、アースと接続された金属製のシールド構造（ＡＳ）が配置されており、該シールド構造により、それぞれ異なるトラックに配置された少なくとも２つの変換器が互いにシールドされ、
ＤＭＳフィルタとして構成されており、
第１のトラックに配置されている第１の結合変換器（Ｋ１）および第１のトラックに配置されている入力変換器（Ｗ１）と、
第２のトラックに配置されている第２の結合変換器（Ｋ２）および第２のトラックに配置されている出力変換器（Ｗ２）と、
前記第１および第２の結合変換器（Ｋ１，Ｋ２）におけるそれぞれ１つの電流レールを電気的に接続する結合ライン（ＫＬ）とが設けられており、
前記入力変換器（Ｗ１）および前記第１の結合変換器（Ｋ１）と、前記出力変換器（Ｗ２）および前記第２の結合変換器（Ｋ２）との間に、シールド構造（ＡＳ）が配置されており、
前記結合ライン（ＫＬ）は各トラックにおいて、他方のトラックとは離れた側に配置されている該当する結合変換器（Ｋ１，Ｋ２）の電流レールとそれぞれ接続されていることを特徴とするＳＡＷフィルタ。
【請求項２】
請求項１記載のＳＡＷフィルタにおいて、
互いにシールドされている前記入力変換器（Ｗ１）および前記出力変換器（Ｗ２）は、前記シールド構造（ＡＳ）の側に配置されたそれぞれ１つの電流レールを有しており、該電流レールのうち少なくとも１つは、浮いた状態にあるかまたはアースとは異なる電位と接続されていることを特徴とするＳＡＷフィルタ。
【請求項３】
請求項１記載のＳＡＷフィルタにおいて、
前記音響トラックの両側に２つの反射器（Ｒ，Ｒ′）が設けられており、前記結合ライン（ＫＬ）は前記音響トラックの外側で前記反射器の周囲に案内されていることを特徴とするＳＡＷフィルタ。
【請求項４】
請求項１から３のいずれか１項記載のＳＡＷフィルタにおいて、
前記シールド構造（ＡＳ）は外部のアース端子と接続されており、かつ該シールド構造（ＡＳ）は、前記結合変換器（Ｋ１，Ｋ２）のうち結合ライン（ＫＬ）と接続されていない一方の結合変換器の電流レールとそれぞれ接続されていることを特徴とするＳＡＷフィルタ。
【請求項５】
請求項１から４のいずれか１項記載のＳＡＷフィルタにおいて、
前記音響トラックの両側に２つの反射器（Ｒ）が設けられており、前記シールド構造（ＡＳ）は外部のアース端子および前記反射器と接続されていることを特徴とするＳＡＷフィルタ。
【請求項６】
請求項１から５のいずれか１項記載のＳＡＷフィルタにおいて、
前記入力変換器および前記出力変換器（Ｗ１，Ｗ２）において、それぞれ隣り合うトラックとは離れた側の電流レールが２つの部分レールに分割されており、
前記入力変換器（Ｗ１）における各部分レールは、入力側（ＩＮ）における外部端子の１つと接続されており、前記出力変換器（Ｗ２）における各部分レールは、出力側（ＯＵＴ）における外部端子の１つと接続されており、
前記入力変換器および前記出力変換器（Ｗ１，Ｗ２）は、対称的な入力側または出力側（ＩＮ，ＯＵＴ）にそれぞれ割り当てられていることを特徴とする、
ＳＡＷフィルタ。
【請求項７】
請求項１から６のいずれか１項記載のＳＡＷフィルタにおいて、
前記入力変換器および前記出力変換器（Ｗ１，Ｗ２）および前記シールド構造（ＡＳ）は同一の金属化部から形成されていることを特徴とするＳＡＷフィルタ。
【請求項８】
請求項１から７のいずれか１項記載のＳＡＷフィルタにおいて、
前記入力変換器および前記出力変換器（Ｗ１，Ｗ２）と前記シールド構造（ＡＳ）の金属化部は、アルミニウムまたはアルミニウムを含む合金から成る層または該層を含む多層構造を有することを特徴とするＳＡＷフィルタ。
【請求項９】
請求項１から８のいずれか１項記載のＳＡＷフィルタにおいて、
フリップチップ配置により支持板上に基板が取り付けられており、前記支持板上に配置された端子面と前記シールド構造（ＡＳ）との間の導電接続が１つまたは複数のバンプにより行われていることを特徴とするＳＡＷフィルタ。
【請求項１０】
請求項１から９のいずれか１項記載のＳＡＷフィルタにおいて、
前記シールド構造（ＡＳ）は少なくとも、互いにシールドされる前記入力変換器および前記出力変換器（Ｗ１，Ｗ２）の全長にわたり延在していることを特徴とするＳＡＷフィルタ。
【請求項１１】
請求項１から１０のいずれか１項記載のＳＡＷフィルタにおいて、
前記シールド構造（ＡＳ）は、前記入力変換器および出力変換器（Ｗ１，Ｗ２）において互いに向き合っている電流レールの幅よりも大きいことを特徴とするＳＡＷフィルタ。
【発明の詳細な説明】
【技術分野】
【０００１】
ＳＡＷフィルタは少なくとも１つの音響的なトラックから成り、そこには少なくとも１つの電気音響変換器が配置されている。この種の電気音響変換器は少なくとも２つの電流レールを有しており、これらは通常、音響表面波の伝播方向に対し平行に配置されている。電流レール各々に対し垂直に電極フィンガが配置されており、これらはインターディジタル電極構造すなわち交差指電極構造を成している。
【０００２】
１つのフィルタから成る１つのトラックあるいは種々のフィルタから成るそれぞれ異なるトラックが、１つの圧電基板上に空間的に互いに密に配置されている場合、変換器のような構成素子構造と電流レールを成す複数の金属化部の間に、殊に２つの異なる音響トラックのトラックに平行に配向された電流レールの間に、容量性の相互作用が引き起こされる可能性がある。両方の音響トラックが互いに結線されており同じフィルタに属する場合には、これによって一般に阻止選択性が変化する。また、別個の２つのフィルタにおける音響トラック間で電磁的な結合が発生すると、これにより分離が劣化してしまうおそれがある。その結果、一方のフィルタの出力側における望ましくない信号成分もしくは未知の信号成分がそのフィルタまたは他方のフィルタの入力側によって受信されてしまうことになり、このような信号成分によって本来の信号が誤ったものとなってしまい、これは避けなければならないものである。広く一般的に言えば、この主の容量性の相互作用をクロストークと称する。
【０００３】
ＤＭＳフィルタの場合、互いに結線された複数のトラックに変換器を配置することができる。通常、音響トラックはこれらに対し互いに平行に配向されており、コストのかさむチップ面積を節約するためにそれらのトラックは空間的に密接して配置されている。たとえば入出力変換器の場合、互いに対向する変換器もしくはそれぞれ異なる音響トラックにおいて互いに密接して配置されている電流レールが形成され、これによって少なからぬクロストークが引き起こされ、フィルタ選択性が劣化してしまう。この問題点が殊に発生するのは、入力変換器または出力変換器において隣り合うトラックと向き合った電流トラックが、アース電位とは異なる電位と接続されている場合である。変換器の電気的な接続が音響トラックの側で行われているような変換器の場合にも、著しく強い作用が発生する。この場合、そのようなトラックにおいて対応する電流レールが２つの部分レールに分けられており、これらの部分レールが２つの端子と接続されている。互いに対向する電流レールは一体であり、外部から与えられる電位とは接続されておらず、したがって浮いた電位（中間電位）をとる。たとえばDE 100 13 861 A1から知られておりＶスプリット変換器とも称されるこの種の変換器を対称的に（バランスをとって）駆動制御する場合には、浮いた電流レールが仮想的なアースを成す。つまり対称的に結線されおり、そのほかには残りのフィルタが最適に対称的に構成されているならば、浮いた電位は正確にアース電位におかれる。ただしこの仮想的なアースの電位がゼロから隔たると対称ノイズが発生し、これによってフィルタ機能が損なわれ、殊に選択性の低下が引き起こされる。この種の２トラック型または複数トラック型のＤＭＳフィルタにおける仮想的なアースのこのような「変位ドリフト」は、電磁的な結合によって引き起こされる可能性がある。
【０００４】
したがって本発明の課題は、音響トラック間の電磁的な結合を抑圧し、ひいてはフィルタの選択性または複数フィルタの分離を改善したフィルタを提供することにある。
【０００５】
本発明によればこの課題は、請求項１の特徴を備えたＳＡＷフィルタによって解決される。従属請求項には本発明の有利な実施形態が示されている。
【０００６】
本発明は、隣り合う２つの音響トラック間にアースと接続された金属のシールド構造を配置したＳＡＷフィルタを提案するものである。このようにすることで、さもないとクロストークを起こしがちであるそれぞれ異なるトラックに配置された変換器を、互いに保護ないしは遮蔽することができる。両方のトラックが１つの共通のフィルタに属しており電気的に互いに結線されているのであれば、このようにすることで阻止選択性が改善され、阻止帯域にある信号がいっそう良好に抑圧される。互いにシールドされる変換器がそれぞれ異なるフィルタに属している場合には、このようにしてそれらのフィルタ間の分離が改善される。
【０００７】
シールド構造の役割は、クロストークを引き起こす電磁フィールドラインすなわち磁束および電気力線を、金属製のシールド構造を介してアース端子へ逃がすことである。したがって本発明による金属製のシールド構造を、値のよいアースないしは品質の高いアースとして構成するのが有利である。このことが意味するのは、少なくとも１つの、いっそうよいのは２つまたはそれよりも多くのアース端子が設けられているということである。また、アースの品質は、シールド構造の面積が増すにつれて向上する。シールド構造の金属の厚さを増やすことも可能である。
【０００８】
本発明によるシールド構造は、以下のようなフィルタにおいて格別な利点を発揮する。すなわちこのフィルタの場合、互いにシールドすべき変換器がＶスプリット変換器として構成されており、この変換器の分割された電流レールが各端子と接続されているのに対し、それぞれ他方の連続した電流レールは浮いた状態におかれている。本発明によるシールド構造をもたないこの種のフィルタにおいては過度に強まったクロストークの発生するおそれがある。その理由は、浮いた状態にある電流レールにおいては端子が欠けていることから、隣り合うレールの間隔が低減されていることによる。
【０００９】
本発明によるシールド構造は有利には連続した金属化平面によって構成されており、この平面は有利には少なくとも、互いにシールドすべき変換器の長さにわたって延在している。シールド構造の面積につれてアースの品質も高まるので、音響トラックに対し垂直方向に測定されるシールド構造の幅は最大限に選定される。この場合、音響トラックがまえもって定められた間隔を有しているならば、トラック間に存在する平面がシールド構造によって最適に満たされる。高品質のシールド構造のためのスペースを作る目的で、シールドされていないフィルタによりもトラックの間隔を付加的に広げるのが有利である。これによりフィルタの所要面積が大きくなり、これは本来は欠点を意味するが、このことは阻止選択性もしくは分離性ないしは絶縁性の改善によって相殺される。
【００１０】
本発明の１つの実施形態によればフィルタはＤＭＳフィルタとして構成されており、これには第１のトラックに設けられている入力変換器として用いられる第１の変換器および第１の結合変換器と、これに対し第２のトラックに設けられている第２の結合変換器および出力変換器として用いられる第２の変換器が設けられている。これらのほか各トラックには、入力変換器、出力変換器または結合変換器として用いられる任意の個数の変換器をさらに設けることもできる。両方の音響トラックは結合ラインを介して接続されており、この結合ラインは第１および第２の変換器の電流レールとそれぞれ接続されている。第１のトラックの入力変換器と第２のトラックの出力変換器との間に、つまり第１の変換器と第２の変換器との間に、シールド構造が配置されている。
【００１１】
本発明の１つの有利な実施形態によればこのシールド構造は、個々の結合変換器において結合ラインと接続されている電流レールとは反対側に位置する電流レールと付加的に接続されている。これはたとえば、結合変換器においてそれぞれ他方のトラックの側の電流レールである。このような配置構成の場合、結合ラインは結合変換器における外側の電流レールとそれぞれ接続されているので、やはり有利なことに結合ラインは音響トラックの外側を、もしくは個々のトラックの周囲を巡って案内される。
【００１２】
ただし、反射器を結合ラインに組み込んで、それにより信号を反射器を通して案内することも可能である。この実施形態は著しくスペースを節約するものである。その理由は、これによれば反射器が信号ラインに組み込まれて付加的なラインが不要となるからである。
【００１３】
本発明の別の実施形態によれば、シールド構造は反射器と接続される。この場合、シールド構造のアース端子を反射器のために用いることができ、したがって反射器を別個にアース端子と接続することができる。しかしながら、シールド構造だけをアース端子と接続し、反射器をシールド構造と接続してもよい。ただし、反射器もシールド構造もアース端子と接続することができる。
【００１４】
有利には、シールド構造は他の金属化部とともに基板上に形成され、したがって有利には同一の構造を有している。他の理由から異なる金属化ステップが必要とされる場合には、組み合わせられた多重の金属化部をシールド構造にもたせることもでき、たとえばこれを変換器、反射器または電流レールとして用いられる金属化部よりも厚く構成することができる。このためシールド構造を、同じステップで他の金属化部といっしょに形成することができ、製造に際して余分なプロセス要求ないしはプロセスコストがかからない。
【００１５】
変換器のための適切な金属化部ひいてはシールド構造のために考えられる金属化部の構成部材はたとえばアルミニウム、アルミニウムを含有する合金から成り、あるいはこの種のアルミニウムを含む少なくとも１つの層をもつ多層構造によって形成される。さらに金属化部と基板表面との間に、固着を向上させる付加的な層を設けることができる。
【００１６】
金属化部の上にパッシベーション層を配置することができる。この種のパッシベーション層を付加的に設けられた誘電体層とすることができ、たとえば薄いＳｉＯ２層とすることができる。とはいえ、金属化部の最上層つまりは変換器およびシールド構造の最上層を酸化させて、たとえば相応の酸化物に転換することもできる。したがってアルミニウムを含む金属化部が、有利にはアルミニウム酸化物から成るパッシベーション層によって覆われることになる。アノード酸化あるいは元の金属化部を酸素含有プラズマ中で相応にプラズマ処理することによって、これを生成することができる。
【００１７】
さらに、電流レールおよび／またははんだ付け可能な端子面あるいはアンダーバンプ金属化部を付加的に増強することができ、その際、このプロセスにおいてシールド構造も増強することができる。
【００１８】
フィルタの金属構造の接続つまりはシールド構造、変換器ならびに場合によってはフィルタのその他の部分に対する接続を、ボンディングワイヤを介して行うことができる。ただし微小化された構成素子の場合には殊にフリップチップ配置が有利であり、これによればフィルタ構造を支持する圧電基板がバンプ接合部を介して支持体基板と以下のように接続される。すなわちこの場合、構成素子構造が支持体基板の方に向けられて、互いに接続すべき電気端子面がじかに向き合うようにし、ついでバンプによって接続される。
【００１９】
次に、図面を参照しながら実施例に基づき本発明について詳しく説明する。これらの図面は本発明を具体的に説明するために用いるものであり、したがって概略的に示されているにすぎず、縮尺どおりには描かれていない。また、図示されている素子たとえば電極フィンガの個数も素子の寸法同様、実際のフィルタ構成とは異なるものである。
【００２０】
図１は、本発明によるシールド構造を備えた２トラック型ＤＭＳフィルタを示す図、図２は、シールド構造が結合変換器のアース端子と接続されている２トラック型ＤＭＳフィルタを示す図、図3は、スプリットされていないないしは分割されていない入力変換器および出力変換器を備えた２トラック型ＤＭＳ装置を示す図、図4は、トラックあたりそれぞれ２つの変換器と、スプリットされていない入出力変換器を備えた２トラック型ＤＭＳ装置を示す図、図５は、２トラック型ＤＭＳフィルタの結線変形例を示す図、図６は、２トラック型ＤＭＳフィルタの別の変形結線例を示す図、図７は、本発明によるフィルタの通過特性を公知のフィルタと比較して示す図、図８は、さらに改良された本発明によるフィルタの通過特性を公知のフィルタと比較して示す図である。
【００２１】
図１には、２トラック３変換器型フィルタとして実現されている本発明の第１の簡単な実施形態が示されている。（図１の下方に描かれている）第１のトラックに第１の変換器Ｗ１が配置されていて、これは２つの端子を介して入力側ＩＮと接続されており、したがってこれは入力変換器として用いられる。第１の変換器Ｗ１の両側には、第１の結合変換器Ｋ１と別の結合変換器Ｋ１′が配置されている。
【００２２】
第２の音響トラックは第２の変換器Ｗ２を有しており、これは出力側ＯＵＴと接続されていて、出力変換器を成している。第２のトラックにおいて第２の変換器Ｗ２の両側には、それぞれ第２の結合変換器Ｋ２，Ｋ２′が隣り合って配置されている。第１および第２の結合変換器Ｋ１，Ｋ２；Ｋ１′，Ｋ２′は、結合ラインＫＬ，ＫＬ′を介して互いに接続されている。各トラックは両側で、それぞれ１つの反射器Ｒ１，Ｒ１′，Ｒ２，Ｒ２′によって区切られている。この場合、入力変換器および出力変換器（第１および第２の変換器）Ｗ１，Ｗ２はＶスプリット変換器として構成されており、対称的につまりバランスがとられて駆動される。ただし、第１および第２の変換器の一方または双方を非対称に駆動し、この目的で端子の一方をゼロ電位または基準電位（アース）におくようにしてもよい。双方のトラックの間には、平坦な金属化部としてシールド構造ＡＳが形成されている。シールド構造ＡＳはここでは少なくとも、音響トラックに平行に定められた第１および第２の変換器の長さを超えて延在しており、この場合、これら第１および第２の変換器を相互に遮蔽すなわちシールドしなければならない。音響トラックに対し垂直方向におけるシールド構造の所定の幅は変換器の電流レールにおける幅よりも著しく大きく、これは両方のトラックにおける間隔に合わせて最適化されており、あるいはそのような間隔を最適に満たしている。シールド構造はアース端子と接続されている。この図における別の構成として、結合変換器Ｋ１，Ｋ２各々において結合ラインＫＬとは接続されていない電流レールは、じかに隣り合う反射器Ｒとともにアース端子へと導かれている。
【００２３】
図２には本発明の別の実施形態が示されており、この実施形態によれば、結合変換器Ｋにおいてそれぞれ他方のトラックから離れている側の電流レールもしくは他方のトラックからもっとも離れている電流レールに、結合ラインＫＬ，ＫＬ′が接続されている。このように、各トラック間に配置されているシールド構造ＡＳは、実際にまたは仮想的にアースにおかれている電流レールもしくは構造体にのみ隣り合っている。これに加えて、アースと接続すべき結合変換器Ｋの電流レールはシールド構造ＡＳと接続されている。第１および第２の結合変換器Ｋ１，Ｋ２は、反射器Ｒ１，Ｒ２の周囲に案内された結合ラインＫＬを介して接続されている。これと同じことは、反射器Ｒ１′，Ｒ′の周囲に案内されている結合ラインＫＬ′についてもあてはまる。この実施形態によれば、反射器はそれぞれ隣り合う結合ラインと接続されている。ただし反射器をアースと接続することもできるし、あるいは浮いた状態に構成することもできる。
【００２４】
図３には本発明の別の実施形態が示されており、この実施形態によれば図２による実施形態とは異なり第１の変換器Ｗ１と第２の変換器Ｗ２が、音響トラックの両側で連続した電流レールを備えた通常の変換器として構成されており、この場合、第１および第２の変換器の各端子は音響トラックの両側において両方の電流レールに設けられている。この実施形態によれば、入力変換器Ｗ１と出力変換器Ｗ２は対称的な変換器として構成されており、これらの変換器はバランスがとられて駆動される。フィルタのその他の構成は図２による構成と同じである。この実施形態によれば、シールド構造ＡＳによっても両方の変換器Ｗ１，Ｗ２の各々における浮いた状態の電流レールは分離されておらず、むしろ第１および第２の変換器Ｗ１，Ｗ２は内側に位置する対称の端子を有している。
【００２５】
図４には２トラック型ＤＭＳ変換器が示されており、これによれば各トラックは２つの変換器を有しており、すなわち第１の変換器と、第１もしくは第２の変換器における第１の結合変換器と、第２のトラックにおける第２の結合変換器とを有している。第１および第２の変換器は、変換器の両側にそれぞれ端子を有している。結合変換器Ｋ１，Ｋ２は結合ラインＫＬを介して接続されており、この結合ラインは結合変換器において外側へ向かう電流レールとそれぞれ接続されており、じかに隣り合う２つの反射器の周囲を案内されている。結合変換器Ｋ１，Ｋ２において内側に位置する電流レールはシールド構造と接続されており、さらにこのシールド構造には、第１および第２の変換器Ｗ１，Ｗ２のすぐ隣りに配置されている反射Ｒ′１，Ｒ′２も接続されている。
【００２６】
図５には、図４に示されている実施形態に関する別の変形実施例が示されている。この実施形態によれば結合ラインＫＬは、じかに隣り合う２つの反射器Ｒ１，Ｒ２を通り抜けて案内されている。これによって図４の実施形態よりも結合ラインの導体区間が節約され、この場合、両方の反射器がこの導体区間の機能を引き受けている。
【００２７】
図６には図４の実施形態に関するさらに別の変形実施形態が示されており、この実施形態の場合もやはり結合ラインＫＬは２つの反射器Ｒ１，Ｒ２の周囲に案内されている。ただし図４の実施形態とは異なり、この場合には反射器Ｒ１，Ｒ２は結合ラインＫＬと接続されておらず、その代わりにシールド構造ＡＳと接続されている。この目的でシールド構造が長くされており、両方のトラックにおける変換器と反射器全体が互いに分離されている。
【００２８】
図７には本発明によるフィルタの周波数特性が描かれており、この周波数特性がシールド構造の設けられていない公知のフィルタの周波数特性と対比されている。ここでは図１に示した３変換器２トラック型ＤＭＳフィルタの周波数特性Ａを、シールド構造ＡＳをもたない相応のフィルタの周波数特性Ｂと比較した。この図から明らかなように、（伝達関数Ｓ２１について測定された）フィルタは改善された阻止選択性をもっており、これについてはたとえば阻止領域において矢印の付された個所における双方の伝達関数の差を参照されたい。
【００２９】
図８には、図２に従って構成された本発明によるフィルタの周波数特性Ｃが描かれており、ここではこの周波数特性Ｃがシールド構造をもたない相応のフィルタの周波数特性Ｄと対比されている。この図から明らかなように、図１によるフィルタよりもさらに大きくされたシールド構造と、外側に案内された結合ラインとによって、阻止選択性をさらに改善させることができる一方、パスバンドすなわちフィルタの通過帯域はそのまま維持されている。殊に挿入損および帯域幅はほぼ等しいままである。
【００３０】
これまで本発明をごく僅かな実施形態を参照しながら説明してきたけれども、本発明はそれらの実施形態に制限されるものではない。本発明の範囲に含まれるその他の変形実施形態として挙げられるのは、構造の変形たとえばトラックあたりの変換器数の変形である。また、本発明はＤＭＳフィルタに限定されるものでもない。リアクタンスフィルタのトラックにおける変換器にシールドを設けることもできる。さらに別の変形実施形態として挙げられるのは、電気的に互いに分離された２つのトラックに基づき本発明が実現されるよう、変換器と結合変換器を結線することおよび結線を省略することである。
【００３１】
また、実施例において示した通常のフィンガ型変換器のほかに、変換器をスプリットフィンガ型変換器、重み付け変換器、分配された励振を伴う変換器として構成することもできるし、たとえばＳＰＵＤＴ変換器として構成することもできる。
【００３２】
これに加えて、対応する変換器が扇形変換器ないしはファン状変換器として構成されるよう、電極フィンガの間隔および／または幅を表面波伝播方向に垂直な軸に沿って変えることもできる。また、本発明によるフィルタに、伝播方向で変えられた電極フィンガの間隔および／または幅をもつ変換器を設けることもできる。
【００３３】
さらに本発明によるフィルタに第１のトラックと第２のトラックをもたせ、それらのトラックをそれぞれケーシング内に設けられたダブルのいわゆる２ｉｎ１型フィルタにおけるフィルタの一方に形成することもできる。さらに両方のトラックをデュプレクサにおける２つの部分フィルタに割り当てることも可能であり、これによって一方のトラックをＲＸフィルタに、他方のトラックをＴＸフィルタに割り当てることができる。リアクタンスフィルタのケースでは、両方の音響トラックもしくは共振器が互いに遮蔽ないしはシールドされ、その際に有利であるのは、それぞれ異なる分岐から成る共振器をシールド構造によって互いに遮蔽することである。さらにたとえば本発明によれば、直列分岐中の１つの共振器を次の音響トラックにおいてじかに隣り合う並列分岐中の共振器に対しシールドすることができる。このようにすれば改善された分離特性が得られ、このケースではこれによりフィルタ全体として阻止選択性を著しく改善することができる。
【図面の簡単な説明】
【００３４】
【図１】本発明によるシールド構造を備えた２トラック型ＤＭＳフィルタを示す図
【図２】シールド構造が結合変換器のアース端子と接続されている２トラック型ＤＭＳフィルタを示す図
【図３】スプリットされていないないしは分割されていない入力変換器および出力変換器を備えた２トラック型ＤＭＳ装置を示す図
【図４】トラックあたりそれぞれ２つの変換器と、スプリットされていない入出力変換器を備えた２トラック型ＤＭＳ装置を示す図
【図５】２トラック型ＤＭＳフィルタの結線変形例を示す図
【図６】２トラック型ＤＭＳフィルタの別の変形結線例を示す図
【図７】本発明によるフィルタの通過特性を公知のフィルタと比較して示す図
【図８】さらに改良された本発明によるフィルタの通過特性を公知のフィルタと比較して示す図
【図１】
0004567672.tif 000002
【図２】
0004567672.tif 000003
【図３】
0004567672.tif 000004
【図４】
0004567672.tif 000005
【図５】
0004567672.tif 000006
【図６】
0004567672.tif 000007
【図７】
0004567672.tif 000008
【図８】
0004567672.tif 000009